(57)【要約】【課題】トナーカートリッジに収容されたキャリアを用いて、トナーカートリッジ内に残留したトナーを除去する。【解決手段】磁性キャリアは、トナーカートリッジ８２のトナー収容室５８の搬送方向上流端部に流入するので、非磁性トナーよりも後から搬送される。後から搬送される磁性キャリアが、前に搬送された非磁性トナーのうち、搬送部材８３などに付着してトナー収容室５８に残留した非磁性トナーを剥がしながら搬送する。これにより、トナー収容室５８に残留した非磁性トナーが除去される。【選択図】図２
2010244004.tif 000002
【特許請求の範囲】
【請求項１】
トナーを収容し、そのトナーを外部に排出するための排出口を有するトナー収容室と、
キャリアを収容するキャリア収容室と、
前記トナー収容室と前記キャリア収容室とを仕切る仕切部材と、
前記仕切部材に形成され、前記キャリア収容室内の前記キャリアを前記トナー収容室へ流入可能にする流入口部と、
を備えるトナー収容容器。
【請求項２】
前記トナー収容室に設けられ、前記トナーを前記排出口へ搬送可能な搬送部材を備え、
前記流入口部は、前記トナーが搬送される搬送方向上流端部側に配置されている請求項１に記載のトナー収容容器。
【請求項３】
前記搬送部材は、回転軸と、前記回転軸に設けられ前記キャリアを汲み上げて前記回転軸に振り掛ける羽根部材とを有している請求項２に記載のトナー収容容器。
【請求項４】
前記流入口部を開閉する開閉部と、
前記トナー収容室のトナー残量を検出する検出手段と、
前記検出手段によって検出された前記トナー収容室内のトナー残量に基づき、前記開閉部を開閉させる駆動部と、
を備える請求項１〜３のいずれか１項に記載のトナー収容容器。
【請求項５】
前記トナー収容室が形成された容器本体と、
前記キャリア収容室が形成され、前記容器本体に対して回転する回転操作がなされることにより前記流入口部を開放するキャリア収容容器と、
を備える請求項１〜３のいずれか１項に記載のトナー収容容器。
【請求項６】
前記回転操作により開放され、前記キャリア収容室へのキャリアの流入を可能にする流入口部を備える請求項５に記載のトナー収容容器。
【請求項７】
前記流入口部を開閉する開閉部を備える請求項１〜３のいずれか１項に記載のトナー収容容器と、
キャリア及びトナーを含む現像剤によって現像する現像部と、
前記トナー収容容器が装着され、前記トナー収容容器から排出されたトナーを前記現像部に搬送する搬送部と、
前記トナー収容容器が前記搬送部に装着されることによって、前記開閉部を開放する開放手段と、
を備える現像装置。
【請求項８】
請求項１〜６に記載のトナー収容容器と、
キャリア及びトナーを含む現像剤によって現像する現像部と、
前記トナー収容容器が装着され、前記トナー収容容器から排出されたトナーを前記現像部に搬送する搬送部と、
前記現像剤を前記現像部から前記キャリア収容室に送り戻す送戻部と、
を備える現像装置。
【請求項９】
前記送戻部は、前記トナー収容室内の前記トナーが空になってから前記現像剤を前記キャリア収容室に送り戻し、
前記搬送部は、前記送戻部が送り戻した現像剤の少なくとも一部が前記現像部に到達するまでその現像剤を搬送する請求項８に記載の現像装置。
【請求項１０】
前記トナー収容室内の前記トナーが空になった際に、閉鎖されている前記流入口部を開放するように指示する指示部を備える請求項９に記載の現像装置。
【請求項１１】
前記送戻部が送り戻した現像剤の前記搬送部による搬送が完了した後に、前記送戻部の送戻動作を禁止する禁止部を備える請求項９又は請求項１０に記載の現像装置。
【請求項１２】
トナー及びキャリアを排出可能な排出口を有し、前記トナーを収容すると共に前記キャリアを前記トナーよりも前記排出口側に収容する収容室と、
前記排出口を開閉可能に前記排出口に設けられ、前記キャリアが前記排出口から排出されるように前記排出口を開放する開閉部材と、
を備えるトナー収容容器。
【請求項１３】
前記トナーと前記キャリアとを仕切る仕切部材を備える請求項１２に記載のトナー収容容器。
【請求項１４】
前記開閉部材は、前記排出口を開放する際に、前記キャリアを前記排出口から排出するキャリア排出位置から前記仕切部材を移動させて前記トナーを前記排出口から排出可能にするトナー排出位置へ移動する請求項１３に記載のトナー収容容器。
【請求項１５】
前記収容室が形成され、装着部に装着される容器本体を備え、
前記開閉部材は、前記容器本体に設けられ、前記容器本体の前記装着部への装着動作により開放される請求項１２〜１４のいずれか１項に記載のトナー収容容器。
【請求項１６】
請求項１２〜１５のいずれか１項に記載のトナー収容容器と、
前記トナー収容容器の収容室に設けられ、トナーを前記排出口へ搬送可能な第１搬送部材と、
キャリア及びトナーを含む現像剤によって現像する現像部と、
前記トナー収容容器から排出されたキャリア及びトナーを前記現像部に搬送する第２搬送部材と、
前記第１搬送部材及び前記第２搬送部材を駆動する駆動部と、
を備える現像装置。
【請求項１７】
前記駆動部は、前記第１搬送部材を駆動する第１駆動源と、前記第２搬送部材を駆動する第２駆動源とを有している請求項１６に記載の現像装置。
【請求項１８】
請求項７〜１１及び請求項１６、１７のいずれか１項に記載の現像装置と、
前記現像装置の前記現像剤によって静電潜像が現像される像保持体と、
を備える画像形成装置。
【発明の詳細な説明】
【技術分野】
【０００１】
本発明は、トナー収容容器、現像装置及び画像形成装置に関する。
【背景技術】
【０００２】
現像装置としては、特許文献１に開示される現像装置が公知である。特許文献１に開示される構成では、トナー補給カートリッジ１０にキャリアの混合されたプレミックス剤１１を充填し、この充填されたプレミックス剤１１を現像剤９中のトナー濃度の低下に応じて現像器６側へ補給していく乾式二成分方式の現像装置において、プレミックス剤１１の補給によりオーバーフローしたキャリアを現像器６から再びトナー補給カートリッジ１０側へ還流するための現像剤還流装置２７を設けている。
【先行技術文献】
【特許文献】
【０００３】
【特許文献１】特開平６−３０８８２９号公報
【発明の概要】
【発明が解決しようとする課題】
【０００４】
本発明は、トナー収容容器に収容されたキャリアを用いて、トナー収容容器から排出されたトナーの移動経路又はトナー収容容器内に残留したトナーを除去できるようにすることを課題とする。
【課題を解決するための手段】
【０００５】
請求項１の発明は、トナーを収容し、そのトナーを外部に排出するための排出口を有するトナー収容室と、キャリアを収容するキャリア収容室と、前記トナー収容室と前記キャリア収容室とを仕切る仕切部材と、前記仕切部材に形成され、前記キャリア収容室内の前記キャリアを前記トナー収容室へ流入可能にする流入口部と、を備えるトナー収容容器である。
【０００６】
請求項２の発明は、前記トナー収容室に設けられ、前記トナーを前記排出口へ搬送可能な搬送部材を備え、前記流入口部は、前記トナーが搬送される搬送方向上流端部側に配置されている請求項１に記載のトナー収容容器である。
【０００７】
請求項３の発明は、前記搬送部材は、回転軸と、前記回転軸に設けられ前記キャリアを汲み上げて前記回転軸に振り掛ける羽根部材とを有している請求項２に記載のトナー収容容器である。
【０００８】
請求項４の発明は、前記流入口部を開閉する開閉部と、前記トナー収容室のトナー残量を検出する検出手段と、前記検出手段によって検出された前記トナー収容室内のトナー残量に基づき、前記開閉部を開閉させる駆動部と、を備える請求項１〜３のいずれか１項に記載のトナー収容容器である。
【０００９】
請求項５の発明は、前記トナー収容室が形成された容器本体と、前記キャリア収容室が形成され、前記容器本体に対して回転する回転操作がなされることにより前記流入口部を開放するキャリア収容容器と、を備える請求項１〜３のいずれか１項に記載のトナー収容容器である。
【００１０】
請求項６の発明は、前記回転操作により開放され、前記キャリア収容室へのキャリアの流入を可能にする流入口部を備える請求項５に記載のトナー収容容器である。
【００１１】
請求項７の発明は、前記流入口部を開閉する開閉部を備える請求項１〜３のいずれか１項に記載のトナー収容容器と、キャリア及びトナーを含む現像剤によって現像する現像部と、前記トナー収容容器が装着され、前記トナー収容容器から排出されたトナーを前記現像部に搬送する搬送部と、前記トナー収容容器が前記搬送部に装着されることによって、前記開閉部を開放する開放手段と、を備える現像装置である。
【００１２】
請求項８の発明は、請求項１〜６に記載のトナー収容容器と、キャリア及びトナーを含む現像剤によって現像する現像部と、前記トナー収容容器が装着され、前記トナー収容容器から排出されたトナーを前記現像部に搬送する搬送部と、前記現像剤を前記現像部から前記キャリア収容室に送り戻す送戻部と、を備える現像装置である。
【００１３】
請求項９の発明は、前記送戻部は、前記トナー収容室内の前記トナーが空になってから前記現像剤を前記キャリア収容室に送り戻し、前記搬送部は、前記送戻部が送り戻した現像剤の少なくとも一部が前記現像部に到達するまでその現像剤を搬送する請求項８に記載の現像装置である。
【００１４】
請求項１０の発明は、前記トナー収容室内の前記トナーが空になった際に、閉鎖されている前記流入口部を開放するように指示する指示部を備える請求項９に記載の現像装置である。
【００１５】
請求項１１の発明は、前記送戻部が送り戻した現像剤の前記搬送部による搬送が完了した後に、前記送戻部の送戻動作を禁止する禁止部を備える請求項９又は請求項１０に記載の現像装置である。
【００１６】
請求項１２の発明は、トナー及びキャリアを排出可能な排出口を有し、前記トナーを収容すると共に前記キャリアを前記トナーよりも前記排出口側に収容する収容室と、前記排出口を開閉可能に前記排出口に設けられ、前記キャリアが前記排出口から排出されるように前記排出口を開放する開閉部材と、を備えるトナー収容容器である。
【００１７】
請求項１３の発明は、前記トナーと前記キャリアとを仕切る仕切部材を備える請求項１２に記載のトナー収容容器である。
【００１８】
請求項１４の発明は、前記開閉部材は、前記排出口を開放する際に、前記キャリアを前記排出口から排出するキャリア排出位置から前記仕切部材を移動させて前記トナーを前記排出口から排出可能にするトナー排出位置へ移動する請求項１３に記載のトナー収容容器である。
【００１９】
請求項１５の発明は、前記収容室が形成され、装着部に装着される容器本体を備え、前記開閉部材は、前記容器本体に設けられ、前記容器本体の前記装着部への装着動作により開放される請求項１２〜１４のいずれか１項に記載のトナー収容容器である。
【００２０】
請求項１６の発明は、請求項１２〜１５のいずれか１項に記載のトナー収容容器と、前記トナー収容容器の収容室に設けられ、トナーを前記排出口へ搬送可能な第１搬送部材と、キャリア及びトナーを含む現像剤によって現像する現像部と、前記トナー収容容器から排出されたキャリア及びトナーを前記現像部に搬送する第２搬送部材と、前記第１搬送部材及び前記第２搬送部材を駆動する駆動部と、を備える現像装置である。
【００２１】
請求項１７の発明は、前記駆動部は、前記第１搬送部材を駆動する第１駆動源と、前記第２搬送部材を駆動する第２駆動源とを有している請求項１６に記載の現像装置である。
【００２２】
請求項１８の発明は、請求項７〜１１及び請求項１６、１７のいずれか１項に記載の現像装置と、前記現像装置の前記現像剤によって静電潜像が現像される像保持体と、を備える画像形成装置である。
【発明の効果】
【００２３】
本発明の請求項１の構成によれば、トナー収容容器に収容されたキャリアを用いて、トナー収容容器内に残留したトナーを除去することができる。
【００２４】
本発明の請求項２の構成によれば、流入口部が搬送方向下流端部側に配置された場合に比べ、トナー収容容器に収容されたキャリアを用いて、トナー収容容器内に残留したトナーを効率よく除去することができる。
【００２５】
本発明の請求項３の構成によれば、磁性キャリアを回転軸に振り掛けない場合に比べ、トナー収容容器に収容されたキャリアを用いて、搬送部材に付着したトナーを含めて、トナー収容容器内に残留したトナーを効率よく除去することができる。
【００２６】
本発明の請求項４の構成によれば、本構成を有していない場合に比べ、トナー収容容器に収容されたキャリアを用いて、トナー収容容器内に残留したトナーを効率よく除去することができる。
【００２７】
本発明の請求項５の構成によれば、本構成を有していない場合に比べ、簡易な操作でキャリアをトナー収容容器に流入させることができる。
【００２８】
本発明の請求項６の構成によれば、本構成を有していない場合に比べ、１つの操作で、キャリアをキャリア収容室にも流入させることができる。
【００２９】
本発明の請求項７の構成によれば、トナー収容容器が搬送部に装着されても開閉部が開放しない場合に比べ、特別な操作をせずに、キャリアをトナー収容容器に流入させることができる。
【００３０】
本発明の請求項８の構成によれば、現像剤を現像部からキャリア収容室に送り戻さない場合に比べ、別途キャリアを用意せずに、トナーを収容するトナー収容容器内に残留する残留トナーを除去することができる
【００３１】
本発明の請求項９の構成によれば、本構成を有していない場合に比べ、トナー収容容器に収容されたキャリアを用いて、トナー収容容器内に残留したトナーを効率よく除去することができる。
【００３２】
本発明の請求項１０の構成によれば、トナー収容室内のトナーが空になった際に、閉鎖されている前記流入口部を開放するように指示しない場合に比べ、トナー収容容器に収容されたキャリアを用いて、トナー収容容器内に残留したトナーを効率よく除去することができる。
【００３３】
本発明の請求項１１の構成によれば、送戻動作を禁止しない場合に比べ、無駄に現像剤を送り戻さなくて済む。
【００３４】
本発明の請求項１２の構成によれば、トナー収容容器に収容されたキャリアを用いて、トナー収容容器から排出されたトナーの移動経路に残留したトナーを除去することができる。
【００３５】
本発明の請求項１３の構成によれば、仕切部材を備えない場合に比べ、トナー収容容器に収容されたキャリアを、トナー収容容器から排出されたトナーの移動経路に残留したトナーの除去に効率よく利用することができる。
【００３６】
本発明の請求項１４の構成によれば、開閉部を開放する操作をすれば、仕切部材を除去する操作をせずに、トナー収容容器からトナーを排出することができる。
【００３７】
本発明の請求項１５の構成によれば、トナー収容容器を装着部に装着する操作をすれば、開閉部を開放する操作をせずに、トナー収容容器からキャリアを排出することができる。
【００３８】
本発明の請求項１６の構成によれば、トナー収容容器に収容されたキャリアを用いて、第２搬送部材に残留したトナーを除去することができる。
【００３９】
本発明の請求項１７の構成によれば、トナー収容容器に収容されたトナーの第１搬送部材による搬送と、トナー収容容器から排出されたキャリアの第２搬送部材による搬送と、を別々に行うことができる。
【００４０】
本発明の請求項１８の構成によれば、本構成を有していない場合に比べ、像保持体表面の静電潜像の現像に、トナーを無駄なく利用することができる。
【図面の簡単な説明】
【００４１】
【図１】図１は、第１実施形態に係る画像形成装置の全体構成を示す概略図である。
【図２】図２は、第１実施形態に係る現像装置の構成を示す概略図である。
【図３】図３は、第１実施形態に係るトナーカートリッジを軸方向から見た断面図である。
【図４】図４は、第１実施形態に係る現像装置の構成においてトナーカートリッジが装着される前の状態を示す概略図である。
【図５】図５は、第１実施形態に係る流入口部が開放された状態を示す概略図である。
【図６】図６は、トナー収容室内の非磁性トナーの残量に応じて、磁性キャリアをトナー収容室に流入させる構成を示す概略図である。
【図７】図７は、第２実施形態に係る現像装置の構成を示す概略図である。
【図８】図８は、第２実施形態に係るトナーカートリッジの操作を示す概略図である。
【図９】図９は、第２実施形態に係る搬送部材の構成を示す概略図である。
【図１０】図１０は、第２実施形態に係る搬送部材の羽根部材の構成を示す概略図である。
【図１１】図１１は、第２実施形態の変形例に係る現像装置の構成を示す概略図である。
【図１２】図１２は、第２実施形態の変形例に係るトナーカートリッジの操作を示す概略図である。
【図１３】図１３は、第３実施形態に係る現像装置の構成を示す概略図である。
【図１４】図１４は、第３実施形態に係る現像装置の構成において、トナーカートリッジが装着された状態を示す概略図である。
【図１５】図１５は、第３実施形態に係る現像装置をトナーカートリッジの軸方向から見た断面図である。
【図１６】図１６は、第３実施形態に係る現像装置をトナーカートリッジの軸方向から見た断面図であり、トナーカートリッジが装着された状態を示す。
【図１７】図１７は、第３実施形態に係る現像装置をトナーカートリッジの軸方向から見た断面図であり、開閉部がキャリア排出位置に位置する状態を示す。
【図１８】図１８は、第３実施形態に係る現像装置をトナーカートリッジの軸方向から見た断面図であり、開閉部がトナー排出位置に位置する状態を示す。
【図１９】図１９は、第３実施形態に係る現像装置の構成において、駆動部の駆動源が複数ある変形例を示す概略図である。
【発明を実施するための形態】
【００４２】
以下に、本発明に係る実施形態の一例を図面に基づき説明する。
（第１実施形態に係る画像形成装置の全体構成）
まず、第１実施形態に係る画像形成装置の全体構成を説明する。図１は、第１実施形態に係る画像形成装置の全体構成を示す概略図である。
【００４３】
画像形成装置１０は、図１に示すように、用紙等の記録媒体Ｐが収容される記録媒体収容部１２と、記録媒体Ｐにトナー画像を形成する画像形成部１４と、記録媒体収容部１２から画像形成部１４へ記録媒体Ｐを搬送する搬送手段１６と、画像形成部１４によって形成されたトナー画像を記録媒体Ｐに定着させる定着装置１８と、定着装置１８によってトナー画像が定着された記録媒体Ｐが排出される記録媒体排出部２０と、を備えている。
【００４４】
画像形成部１４は、イエロー（Ｙ）、マゼンタ（Ｍ）、シアン（Ｃ）、ブラック（Ｋ）の各色のトナー画像が形成される画像形成ユニット２２Ｙ、２２Ｍ、２２Ｃ、２２Ｋと、画像形成ユニット２２Ｙ、２２Ｍで形成されたトナー画像が転写される中間転写体の一例としての第１中間転写ドラム２４と、画像形成ユニット２２Ｃ、２２Ｋで形成されたトナー画像が転写される中間転写体の一例としての第１中間転写ドラム２６と、第１中間転写ドラム２４及び第１中間転写ドラム２６に転写されたトナー画像が転写される中間転写体の一例としての第２中間転写ドラム２７と、第２中間転写ドラム２７に転写されたトナー画像を記録媒体Ｐに転写する転写部材の一例としての転写ロール２８とを備えている。
【００４５】
画像形成ユニット２２Ｙ、２２Ｍ、２２Ｃ、２２Ｋは、表面に静電潜像が形成される像保持体として、一方向（図１において反時計回り方向）へ回転する感光体ドラム３０をそれぞれ有している。
【００４６】
各感光体ドラム３０の周囲には、感光体ドラム３０の回転方向上流側から順に、感光体ドラム３０の表面を帯電させる帯電装置３２と、帯電した感光体ドラム３０の表面を露光して感光体ドラム３０の表面に静電潜像を形成する露光装置３４と、感光体ドラム３０の表面に形成された静電潜像を現像してトナー画像を形成する現像装置３６と、が設けられている。なお、現像装置３６の具体的な構成については後述する。
【００４７】
第１中間転写ドラム２４は、画像形成ユニット２２Ｙ、２２Ｍの感光体ドラム３０と接触しながら一方向（図１において時計回り方向）へ回転し、第１中間転写ドラム２６は、画像形成ユニット２２Ｃ、２２Ｋの感光体ドラム３０と接触しながら一方向（図１において時計回り方向）へ回転するようになっている。
【００４８】
第２中間転写ドラム２７は、第１中間転写ドラム２４及び第１中間転写ドラム２６と接触しながら一方向（図１において反時計回り方向）へ回転するようになっている。
【００４９】
第２中間転写ドラム２７と転写ロール２８との間には、第２中間転写ドラム２７上のトナー画像が記録媒体Ｐに転写される転写位置が形成される。
【００５０】
搬送手段１６は、記録媒体収容部１２に収容された記録媒体Ｐを送り出す送出ロール５０と、送出ロール５０によって送り出された記録媒体Ｐを転写位置へ搬送する搬送ロール対５２と、を備えている。
【００５１】
定着装置１８は、転写位置より搬送方向下流側に配置されており、転写位置で転写されたトナー画像を記録媒体Ｐへ定着させる。本実施形態では、定着装置１８は、加圧ロール１８Ａと加熱ロール１８Ｂとにより、トナー画像を加熱及び加圧して記録媒体Ｐに定着するようになっている。
【００５２】
定着装置１８よりも搬送方向下流側には、記録媒体Ｐを記録媒体排出部２０へ排出する排出ロール対５６が配置されている。
【００５３】
次に、本実施形態に係る画像形成装置における、画像を形成する画像形成動作について説明する。
【００５４】
本実施形態に係る画像形成装置１０において、記録媒体Ｐへ画像を形成する場合は、まず記録媒体収容部１２から送り出された記録媒体Ｐが、搬送ロール対５２によって転写位置へ送り込まれる。
【００５５】
一方、第１中間転写ドラム２４には、画像形成ユニット２２Ｙ、２２Ｍで形成された各色のトナー画像が重ねられ、第１中間転写ドラム２６には、画像形成ユニット２２Ｃ、２２Ｋで形成された各色のトナー画像が重ねられる。
【００５６】
第１中間転写ドラム２４及び第１中間転写ドラム２６に重ねられたトナー画像は、第２中間転写ドラム２７に重ねられて、カラー画像が形成される。転写位置へ送り込まれた記録媒体Ｐは、第２中間転写ドラム２７上に形成されたカラー画像が、転写ロール２８によって転写される。
【００５７】
トナー画像が転写された記録媒体Ｐは、定着装置１８へ搬送され、転写されたトナー画像が定着装置１８により定着される。トナー画像が定着された記録媒体Ｐは、排出ロール対５６により記録媒体排出部２０へ排出される。以上のように、一連の画像形成動作が行われる。
【００５８】
（第１実施形態に係る現像装置の構成）
次に、第１実施形態に係る現像装置の構成を説明する。図２は、第１実施形態に係る現像装置の構成を示す概略図である。
【００５９】
本実施形態に係る現像装置３６は、図２に示すように、非磁性トナー及び磁性キャリアを収容するトナー収容容器の一例としてのトナーカートリッジ８２と、非磁性トナー及び磁性キャリアを含む現像剤を感光体ドラム３０に付着させて感光体ドラム３０の静電潜像を現像する現像部３７と、トナーカートリッジ８２から現像部３７へ非磁性トナー及び磁性キャリアを搬送するトナー搬送部６０とを備えている。
【００６０】
現像部３７は、非磁性トナー及び磁性キャリアを含む現像剤を収容する現像室３８を有している。この現像室３８には、現像剤を攪拌しながら搬送する搬送部材（図示省略）と、この搬送部材に搬送された現像剤を保持する現像剤保持体の一例としての現像ロール（図示省略）が設けられている。この現像ロールに保持された現像剤が感光体ドラム３０に付着されて、感光体ドラム３０の静電潜像が現像される。
【００６１】
トナー搬送部６０は、トナーカートリッジ８２が装着される装着部６３と、トナーカートリッジ８２から排出された非磁性トナー及び磁性キャリアが取り込まれる取込口８０が形成された取込部７３と、取込部７３に接続され取込部７３から現像室３８に向けて非磁性トナー及び磁性キャリアを搬送するための搬送管７２とを備えている。
【００６２】
この装着部６３では、トナーカートリッジ８２がその半径方向に沿って装着部６３側に移動されることによりトナーカートリッジ８２が装着されるようになっている。
【００６３】
搬送管７２は、取込部７３と通じ縦方向に伸びる縦管７２Ａと、一端部が縦管７２Ａと通じ他端部が現像室３８と通じ横方向に伸びる横管７２Ｂとを備えて構成されている。
【００６４】
取込部７３及び搬送管７２の内部には、取込部７３に取り込まれた非磁性トナー及び磁性キャリアを現像室３８へ搬送するための搬送路６２が形成されている。搬送路６２には、非磁性トナー及び磁性キャリアを搬送する搬送部材６４が配置されている。
【００６５】
搬送部材６４は、回転可能な回転軸６４Ａと、その回転軸６４Ａの軸周りに螺旋状に巻かれ回転軸６４Ａの回転によりトナーを搬送可能なコイル６４Ｂとを備えている。
【００６６】
回転軸６４Ａは、取込部７３内に配置され、コイル６４Ｂは、取込部７３、縦管７２Ａ及び横管７２Ｂ内に配置されている。コイル６４Ｂは、取込部７３内において回転軸６４Ａに固定されている。
【００６７】
回転軸６４Ａの軸方向一端部（図２における右端部）には、ギア部６６が設けられている。このギア部６６は、回転軸６１に設けられたギア部６７と噛み合っている。ギア部６７と同じく回転軸６１に設けられたギア部６５は、駆動部６９の駆動軸７０に設けられたギア部６８と噛み合っている。これにより、駆動部６９の駆動力がギア部６８、ギア部６５、ギア部６７及びギア部６６を介して回転軸６４Ａに伝達されて回転軸６４Ａが回転し、コイル６４Ｂでトナーが搬送されるようになっている。
【００６８】
なお、搬送部材６４としては、例えば、回転軸の軸周りに螺旋状に形成された羽根部材を有する搬送スクリューであってもよく、他の搬送部材であっても構わない。
【００６９】
以上のように、現像装置３６では、取込口８０から取り込まれたトナーが、取込部７３、縦管７２Ａ及び横管７２Ｂを経て、現像室３８に搬送されるようになっている。
【００７０】
トナーカートリッジ８２は、図２及び図３に示すように、非磁性トナー及び磁性キャリアを収容する容器本体８２Ａを備えている。容器本体８２Ａには、非磁性トナーを収容するトナー収容室５８と、磁性キャリアを収容するキャリア収容室５９とが形成されている。トナー収容室５８には、トナー収容室５８に収容されたトナーを排出するための排出口８１が形成されている。
【００７１】
トナー収容室５８には、容器本体８２Ａに収容されたトナーを排出口８１に搬送するための搬送部材８３が設けられている。搬送部材８３は、例えば、回転可能な回転軸８３Ａと、その回転軸８３Ａの外周に設けられ回転軸８３Ａに沿って延びる羽根部材８３Ｂとを備えている。
【００７２】
回転軸８３Ａの軸方向一端部（図２における右端部）には、ギア部７９が設けられている。このギア部７９は、トナーカートリッジ８２の装着状態において、駆動部６９の駆動力によって回転する上述のギア部６７と噛み合っている。これにより、駆動部６９の駆動力がギア部６８、ギア部６５、ギア部６７及びギア部７９を介して回転軸８３Ａに伝達されて回転軸８３Ａが回転し、羽根部材８３Ｂでトナーが搬送されるようになっている。
【００７３】
なお、搬送部材８３としては、例えば、螺旋状に巻かれたコイルや、回転軸の軸周りに螺旋状に形成された羽根部材を有する搬送スクリューであってもよく、他の搬送部材であっても構わない。
【００７４】
この搬送部材８３は、トナーカートリッジ８２の軸方向に沿って、トナー収容室５８の一端部側（図２における左側）から他端部側（図２における右側）に非磁性トナーを搬送するようになっている。すなわち、トナー収容室５８の一端部側が、搬送方向上流端部側となり、トナー収容室５８の他端部側が搬送方向下流端部側となる。排出口８１は、トナー収容室５８の搬送方向下流端部側に形成されており、トナー収容室５８のトナーは、排出口８１へ搬送されるようになっている。
【００７５】
キャリア収容室５９は、トナーカートリッジ８２の軸方向一端部側（図２における左側）に配置されており、トナー収容室５８の搬送方向上流端部側に設けられている。
【００７６】
容器本体８２Ａには、トナー収容室５８とキャリア収容室５９との間に、トナー収容室５８とキャリア収容室５９とを仕切る仕切壁５３が形成されている。仕切壁５３の下部には、キャリア収容室５９内の磁性キャリアをトナー収容室５８に流入可能とする流入口部５４が形成されている。流入口部５４には、流入口部５４を開閉する開閉部としての隔壁５７が設けられている。
【００７７】
隔壁５７は、流入口部５４を開放する開放位置と、流入口部５４を閉鎖する閉鎖位置との間を移動可能とされている。隔壁５７は、外力が作用しない限り閉鎖位置に位置するように開放位置側への移動が規制されている。
【００７８】
トナー搬送部６０の装着部６３には、装着部６３に装着されたトナーカートリッジ８２に対して隔壁５７を開放位置に押す突起５５が形成されている（図２及び図５参照）。
【００７９】
隔壁５７が開放位置に移動することにより、流入口部５４が開放されるようになっている。キャリア収容室５９の底面は、流入口部５４側に下り勾配となった傾斜面となっており、流入口部５４が開放されると、キャリア収容室５９内の磁性キャリアが、トナー収容室５８に流入するようになっている。なお、流入口部５４が開放されると、図５に示すように、突起５５を間に挟むように突起５５の両側に開口５４Ａが形成される。
【００８０】
（第１実施形態に係る現像装置の作用）
次に、第１実施形態に係る現像装置３６の作用について説明する。
【００８１】
現像装置３６において、トナー搬送部６０の装着部６３に装着される前のトナーカートリッジ８２は、図４に示すように、隔壁５７によって流入口部５４が閉鎖されている。トナーカートリッジ８２が装着部６３に装着されると、図２及び図５に示すように、突起５５によって、隔壁５７が開放される。
【００８２】
これにより、キャリア収容室５９内の磁性キャリアがトナー収容室５８内へ流入し始める。トナー収容室５８内の非磁性トナーが搬送部材８３によって搬送され、非磁性トナーが減少すると、磁性キャリアも一緒に搬送され始める。
【００８３】
磁性キャリアは、トナー収容室５８の搬送方向上流端部に流入するので、非磁性トナーよりも後から搬送される。後から搬送される磁性キャリアが、前に搬送された非磁性トナーのうち、搬送部材８３などに付着してトナー収容室５８に残留した非磁性トナーを剥がしながら搬送する。これにより、トナー収容室５８に残留した非磁性トナーが除去される。
【００８４】
なお、トナー収容室５８内の非磁性トナーの残量に応じて、磁性キャリアをトナー収容室５８に流入させる構成であってもよい。この構成としては、例えば、図６に示すように、容器本体８２Ａには、トナーが収容されるトナー収容室５８のみが形成されている。また、容器本体８２Ａの上部には、トナー収容室５８の搬送方向上流端部側に、内部にキャリア収容室５９が形成されたキャリア収容容器５１が設けられている。キャリア収容室５９とトナー収容室５８との間には、キャリア収容室５９とトナー収容室５８とを仕切る仕切部材４９が配置されている。仕切部材４９は、キャリア収容容器５１に回転可能に支持された回転軸４５に取り付けられており、回転軸４５と一体に回転するようになっている。
【００８５】
仕切部材４９には、磁性キャリアのトナー収容室５８への流入を可能にする流入口部４７が形成されている。流入口部４７は、仕切部材４９の回転位置によって、キャリア収容室５９とトナー収容室５８とを開通する向きと、キャリア収容室５９とトナー収容室５８との間を閉鎖する向きを向くようになっている。回転軸４５は、駆動部４３からの駆動力により回転するようになっている。駆動部４３には、駆動部４３の駆動を制御する制御部４１が接続されている。
【００８６】
トナーカートリッジ８２は、トナー収容室５８の残量を検出する検出手段の一例としてのセンサ３９を備えている。
【００８７】
センサ３９は、直接的に、トナー収容室５８のトナーの残量を検出するものである。例えば、トナー収容室５８内で光を照射しその光が通過又は反射することでトナーがある高さ以上有るか否かを判定する光センサで構成される。なお、センサとしては、種々のものを用いることが可能である。
【００８８】
なお、直接、センサにより、トナー残量を検出する構成に限られず、トナーカートリッジ８２の搬送部材８３やトナー搬送部６０の搬送部材６４の回転数などから、搬送されたトナー量を予測して、トナー残量を割り出す方法であっても良い。
【００８９】
（第２実施形態に係る現像装置の構成）
次に、第２実施形態に係る現像装置の構成について説明する。なお、第１実施形態と同一の部分には同一の符号を付し、説明を省略する。また、画像形成装置の全体構成は、第１実施形態と同一であるので、説明を省略する。
【００９０】
第２実施形態に係る現像装置１３６は、図７に示すように、非磁性トナーを収容するトナー収容容器の一例としてのトナーカートリッジ１８２を備えている。
【００９１】
また、現像装置１３６は、現像装置３６と同様に、非磁性トナー及び磁性キャリアを含む現像剤を感光体ドラム３０に付着させて感光体ドラム３０の静電潜像を現像する現像部３７と、トナーカートリッジ８２から現像部３７へ非磁性トナー及び磁性キャリアを搬送するトナー搬送部６０とを備えている（図２参照）。
【００９２】
なお、第２実施形態では、トナーカートリッジ８２は、その軸方向（長手方向）へトナー搬送部６０の装着部６３に移動（挿入）させることにより、装着部６３に装着されるようになっている。
【００９３】
トナーカートリッジ１８２は、図７及び図８に示すように、非磁性トナーを収容する容器本体１８２Ａと、磁性キャリアを収容するキャリア収容室１５９が形成されたキャリア収容容器１９２とを備えている。容器本体１８２Ａには、非磁性トナーが収容されるトナー収容室１５８が形成されている。トナー収容室１５８には、トナー収容室１５８に収容されたトナーを排出するための排出口１８１が形成されている。この排出口１８１には、排出口１８１を開閉する開閉部材１９１が設けられている。開閉部材１９１は、トナーカートリッジ１８２を装着部６３に装着することにより、装着部６３の一部に当ってスライドし、排出口１８１を開放するようになっている。
【００９４】
トナー収容室１５８には、容器本体１８２Ａに収容されたトナーを排出口１８１に搬送するための搬送部材１８３が設けられている。搬送部材１８３は、図９に示すように、例えば、回転可能な回転軸１８３Ａと、その回転軸１８３Ａの外周にその軸周りに螺旋状に形成された羽根部材１８３Ｂとを備えている。回転軸１８３Ａは、図示しない駆動部から駆動力を付与されて回転し羽根部材８３Ｂでトナーが搬送される。
【００９５】
羽根部材８３Ｂには、図１０に示すように、磁性キャリアを汲み上げるための汲み上げリブ１８４が形成されている。
【００９６】
なお、搬送部材１８３としては、例えば、螺旋状に巻かれたコイルであってもよく、他の搬送部材であっても構わない。
【００９７】
この搬送部材１８３は、トナーカートリッジ１８２の軸方向に沿って、トナー収容室１５８の一端部側（図８における左側）から他端部側（図８における右側）に非磁性トナーを搬送するようになっている。すなわち、トナー収容室１５８の一端部側が、搬送方向上流端部側となり、トナー収容室１５８の他端部側が、搬送方向下流端部側となる。排出口１８１は、トナー収容室１５８の搬送方向下流端部側に形成されており、トナー収容室１５８のトナーは、排出口１８１へ搬送される。
【００９８】
キャリア収容容器１９２は、トナーカートリッジ１８２の軸方向一端部側に配置されており、トナー収容室１５８の搬送方向上流端部側に設けられている。
【００９９】
本実施形態では、容器本体１８２Ａのキャリア収容容器１９２側の外壁１８２Ｂ及び、キャリア収容容器１９２の容器本体１８２Ａ側の外壁１９２Ａが、トナー収容室１５８とキャリア収容室１５９とを仕切る仕切部材として機能する。
【０１００】
容器本体１８２Ａの外壁１８２Ｂには、キャリア収容室１５９内の磁性キャリアをトナー収容室１５８に流入可能とする流入口部１５４が形成されている。
【０１０１】
キャリア収容容器１９２の外壁１９２Ａには、開口部１９３が形成されており、キャリア収容容器１９２が回転する回転操作をすることにより、図８（Ｃ）に示すように、開口部１９３と流入口部１５４とが一致し、流入口部１５４が開放される。
【０１０２】
キャリア収容容器１９２の上部には、キャリア収容室１５９への磁性キャリアの流入を可能にする流入口部１９４が形成されている。
【０１０３】
流入口部１９４には、流入口部１９４を開閉する開閉部材１９５が設けられている。
開閉部材１９５は、トナーカートリッジ１８２を装着部６３に装着することにより、図８（Ａ）（Ｂ）に示すように、装着部６３の一部に当ってスライドし、流入口部１９４を開放するようになっている。
【０１０４】
また、現像装置１３６では、現像剤を現像部３７からキャリア収容室１５９に送り戻す送戻部を備えている。送戻部は、トナー収容室１５８内の非磁性トナーが空になってから現像剤をキャリア収容室１５９に送り戻す。
【０１０５】
トナー搬送部６０は、送戻部が送り戻した現像剤の少なくとも一部が現像部３７に到達するまでその現像剤を搬送する。
【０１０６】
また、現像装置１３６は、トナー収容室１５８内の全磁性トナーが空になった際に、閉鎖されている流入口部１５４を開放するように指示する指示部を備えている。
【０１０７】
また、現像装置１３６は、送戻部が送り戻した現像剤のトナー搬送部６０による搬送が完了した後に、送戻部の送戻動作を禁止する禁止部を備えている。
【０１０８】
第２実施形態に係る現像装置１３６の構成によれば、トナーカートリッジ１８２が装着部６３に装着されると、図８（Ｂ）に示すように、開閉部材１９１が移動して排出口１８１が開放され、開閉部材１９５が移動して流入口部１９４が開放される。
【０１０９】
キャリア収容容器１９２が回転操作されると、図８（Ｃ）に示すように、開口部１９３と流入口部１５４とが一致し、流入口部１５４が開放される。
【０１１０】
一方、送戻部は、トナー収容室１５８内の非磁性トナーが空になると、現像部３７から現像剤をキャリア収容室１５９に送り戻す。
【０１１１】
これにより、キャリア収容室１５９内の磁性キャリアがトナー収容室１５８内へ流入し始める。トナー収容室１５８内の非磁性トナーが搬送部材１８３によって搬送され、非磁性トナーが減少すると、磁性キャリアも一緒に搬送され始める。
【０１１２】
磁性キャリアは、トナー収容室１５８の搬送方向上流端部に流入するので、非磁性トナーよりも後から搬送される。後から搬送される磁性キャリアが、前に搬送された非磁性トナーのうち、搬送部材１８３などに付着してトナー収容室１５８に残留した非磁性トナーを剥がしながら搬送する。これにより、トナー収容室５８に残留した非磁性トナーが除去される。
【０１１３】
なお、図１１及び図１２に示すように、流入口部１５４が開放するための前記回転操作により、開閉部材１９５が開放されるようにした構成であってもよい。この構成では、トナーカートリッジ１８２を装着部６３に装着することにより、図１２（Ａ）（Ｂ）に示すように、開閉部材１９１は、装着部６３の一部に当ってスライドし、排出口１８１のみが開放され、流入口部１９４は開放されない。キャリア収容容器１９２が回転操作をされることにより、図１２（Ｃ）に示すように、開口部１９３と流入口部１５４とが一致し、流入口部１５４が開放されると共に、開閉部材１９５が、装着部６３の一部に当ってスライドし、流入口部１９４を開放するようになっている。
【０１１４】
また、キャリア収容室１５９内の磁性キャリアをトナー収容室１５８に流入可能とする流入口部１５４に取り剥がし可能に貼り付けられたシールを用いて開閉する構成であってもよい。
【０１１５】
（第３実施形態に係る現像装置の構成）
次に、第３実施形態に係る現像装置の構成について説明する。図１３及び図１４は、第３実施形態に係る現像装置の構成を示す概略図である。なお、第１実施形態と同一の部分に同一の符号を付して説明する。また、画像形成装置の全体構成は、第１実施形態と同一であるので、説明を省略する。
【０１１６】
第３実施形態に係る現像装置３３６は、図１３に示すように、非磁性トナーＴ及び磁性キャリアＣを収容するトナー収容容器の一例としてのトナーカートリッジ３８２と、非磁性トナーＴ及び磁性キャリアＣを含む現像剤を感光体ドラム３０に付着させて感光体ドラム３０の静電潜像を現像する現像部３７と、トナーカートリッジ３８２から現像部３７へ非磁性トナーＴ及び磁性キャリアＣを搬送するトナー搬送部６０とを備えている。
【０１１７】
現像部３７は、非磁性トナーＴ及び磁性キャリアＣを含む現像剤を収容する現像室３８を有している。この現像室３８には、現像剤を攪拌しながら搬送する搬送部材（図示省略）と、この搬送部材に搬送された現像剤を保持する現像剤保持体の一例としての現像ロール（図示省略）が設けられている。この現像ロールに保持された現像剤が感光体ドラム３０に付着されて、感光体ドラム３０の静電潜像が現像される。
【０１１８】
トナー搬送部６０は、トナーカートリッジ３８２が装着される装着部６３と、トナーカートリッジ３８２から排出された非磁性トナーＴ及び磁性キャリアＣが取り込まれる取込口８０が形成された取込部７３と、取込部７３に接続され取込部７３から現像室３８に向けて非磁性トナーＴ及び磁性キャリアＣを搬送するための搬送管７２とを備えている。
【０１１９】
この装着部６３では、トナーカートリッジ３８２がその半径方向に沿って装着部６３側に移動されることにより、トナーカートリッジ３８２が装着されるようになっている。図１３及び図１５が、トナーカートリッジ３８２が装着部６３へ装着される装着前の状態を示し、図１４及び図１６が、トナーカートリッジ３８２が装着部６３へ装着された状態を示す。
【０１２０】
搬送管７２は、取込部７３と通じ縦方向に伸びる縦管７２Ａと、一端部が縦管７２Ａと通じ他端部が現像室３８と通じ横方向に伸びる横管７２Ｂとを備えて構成されている。
【０１２１】
取込部７３及び搬送管７２の内部には、取込部７３に取り込まれた非磁性トナーＴ及び磁性キャリアＣを現像室３８へ搬送するための搬送路６２が形成されている。搬送路６２には、非磁性トナーＴ及び磁性キャリアＣを搬送する搬送部材６４が配置されている。
【０１２２】
搬送部材６４は、回転可能な回転軸６４Ａと、その回転軸６４Ａの軸周りに螺旋状に巻かれ回転軸６４Ａの回転によりトナーを搬送可能なコイル６４Ｂとを備えている。
【０１２３】
回転軸６４Ａは、取込部７３内に配置され、コイル６４Ｂは、取込部７３、縦管７２Ａ及び横管７２Ｂ内に配置されている。コイル６４Ｂは、取込部７３内において回転軸６４Ａに固定されている。
【０１２４】
回転軸６４Ａの軸方向一端部（図１４における右端部）には、ギア部６６が設けられている。このギア部６６は、回転軸６１に設けられたギア部６７と噛み合っている。ギア部６７と同じく回転軸６１に設けられたギア部６５は、駆動部６９の駆動軸７０に設けられたギア部６８と噛み合っている。これにより、駆動部６９の駆動力がギア部６８、ギア部６５、ギア部６７及びギア部６６を介して回転軸６４Ａに伝達されて回転軸６４Ａが回転し、コイル６４Ｂでトナーが搬送されるようになっている。
【０１２５】
なお、搬送部材６４としては、例えば、回転軸の軸周りに螺旋状に形成された羽根部材を有する搬送スクリューであってもよく、他の搬送部材であっても構わない。
【０１２６】
以上のように、現像装置３３６では、取込口８０から取り込まれたトナーが、取込部７３、縦管７２Ａ及び横管７２Ｂを経て、現像室３８に搬送されるようになっている。
【０１２７】
トナーカートリッジ３８２は、図１３及び図１４に示すように、自らの軸線周りに回転可能にトナー搬送部６０の装着部６３へ装着される容器本体３８２Ａを備えている。容器本体３８２Ａには、非磁性トナーＴ及び磁性キャリアＣを収容する収容室３５８が形成されている。収容室３５８は、非磁性トナーＴ及び磁性キャリアＣを排出可能な排出口３８１を有している。この排出口３８１は、容器本体３８２Ａの外周壁３８２Ｂに形成されている。なお、収容室３５８は、容器本体３８２Ａの外周壁３８２Ｂの内周面で囲まれた空間と、排出口３８１を構成する容器本体３８２Ａの開口部分の空間とで構成されている。
【０１２８】
収容室３５８には、収容室３５８に収容された非磁性トナーＴを排出口３８１に搬送するための搬送部材３８３が設けられている。搬送部材３８３は、例えば、容器本体３８２Ａの軸方向に沿って回転可能に配置された回転軸３８３Ａと、その回転軸３８３Ａの外周に設けられ回転軸３８３Ａに沿って延びる羽根部材３８３Ｂとを備えている。
【０１２９】
回転軸３８３Ａの軸方向一端部（図１４における右端部）には、ギア部７９が設けられている。このギア部７９は、トナーカートリッジ８２の装着状態において、駆動部６９の駆動力によって回転する上述のギア部６７と噛み合っている。これにより、駆動部６９の駆動力がギア部６８、ギア部６５、ギア部６７及びギア部７９を介して回転軸３８３Ａに伝達されて回転軸３８３Ａが回転し、羽根部材３８３Ｂでトナーが搬送されるようになっている。なお、搬送部材３８３は、第１搬送部材の一例であり、上記の搬送部材６４は、第２搬送部材の一例である。
【０１３０】
なお、搬送部材３８３としては、例えば、螺旋状に巻かれたコイルや、回転軸の軸周りに螺旋状に形成された羽根部材を有する搬送スクリューであってもよく、他の搬送部材であっても構わない。
【０１３１】
この搬送部材３８３では、回転軸３８３Ａが回転することで、トナーカートリッジ３８２の軸方向に沿って、収容室３５８の一端部側（図１４における左側）から他端部側（図１４における右側）に向けて非磁性トナーＴを搬送するようになっている。すなわち、収容室３５８の一端部側が、搬送方向上流端部側となり、収容室３５８の他端部側が搬送方向下流端部側となる。排出口３８１は、収容室３５８の搬送方向下流端部側に形成されており、収容室３５８のトナーは、搬送部材３８３の作動により、排出口３８１へ搬送されるようになっている。
【０１３２】
容器本体３８２Ａの排出口３８１には、排出口３８１を開閉可能な開閉部材３８６が設けられている。この開閉部材３８６は、容器本体３８２Ａの外周壁３８２Ｂに設けられた支持部３８８によって、排出口３８１を開放する開放位置（図１８参照）と排出口３８１を閉鎖する閉鎖位置（図１６参照）との間を容器本体３８２Ａの周方向に沿ってスライド可能に支持されている。開閉部材３８６は、外力が作用しない限り閉鎖位置に位置するように開放位置側への移動が規制されている。
【０１３３】
ここで、本実施形態では、収容室３５８内の磁性キャリアＣが、収容室３５８内の非磁性トナーＴよりも排出口３８１側に収容されている。具体的には、収容室３５８において、非磁性トナーＴは、容器本体３８２Ａの外周壁３８２Ｂの内周面側に容器本体３８２Ａの軸方向一端部から他端部に渡って収容され、磁性キャリアＣは、排出口３８１を構成する容器本体３８２Ａの開口部分に収容されている。
【０１３４】
収容室３５８には、その収容室３５８に収容された磁性キャリアＣと非磁性トナーＴを仕切る仕切部材３６０が設けられている。この仕切部材３６０によって、仕切部材３６０と開閉部材３８６との間に磁性キャリアＣを収容される領域が形成され、仕切部材３６０に対する開閉部材３８６とは反対側の領域に非磁性トナーＴが収容される領域が形成されている。
【０１３５】
また、本実施形態では、図１６に示すように、容器本体３８２Ａは、排出口３８１と取込口８０とが容器本体３８２Ａの周方向にずれる第１位置に位置された状態で、装着部６３へ差し込まれるように構成されている。なお、容器本体３８２Ａは、開閉部材３８６が閉鎖位置に位置する状態で、装着部６３に装着される。装着部６３へ差し込まれて第１位置に位置する容器本体３８２Ａは、排出口３８１と取込口８０とが重なる第２位置へ回転されて、装着部６３への装着が完了するようになっている。
【０１３６】
装着部６３には、第１位置に位置する容器本体３８２Ａの開閉部材３８６の移動を阻止する阻止部材としてのストッパ３６５が、容器本体３８２Ａの回転方向下流側に形成されている。このストッパ３６５により、容器本体３８２Ａが第１位置から第２位置に回転される際に開閉部材３８６が移動して排出口３８１が開放されるようになっている。すなわち、開閉部材３８６は、容器本体３８２Ａの装着部６３への装着動作により開放されるようになっている。
【０１３７】
さらに、開閉部材３８６は、その開放により、容器本体３８２Ａ内の磁性キャリアＣを排出口３８１から排出するようになっている。詳細には、開閉部材３８６は、容器本体３８２Ａ内の磁性キャリアＣを排出口３８１から排出するキャリア排出位置に移動し、さらに、仕切部材３６０を移動させて容器本体３８２Ａ内のトナーを排出口３８１から排出可能にするトナー排出位置に移動するようになっている。具体的には、以下のように、構成されている。
【０１３８】
すなわち、仕切部材３６０の一端部（図１５及び図１６において右端部）が開閉部材３８６に固定され、仕切部材３６０の他端部（図１５及び図１６において左端部）が容器本体３８２Ａの内壁に取外し可能に取り付けられている。仕切部材３６０には、折り畳まれたたるみ（伸び代）３６０Ａが形成されている。このたるみ３６０Ａは、図１７に示すように、開閉部材３８６がキャリア排出位置に位置する場合に開閉部材３８６と容器本体３８２Ａの内壁との間で張った状態となるように、たるみ長さが設定されている。
【０１３９】
また、仕切部材３６０は、図１８に示すように、開閉部材３８６がトナー排出位置に移動された場合に、容器本体３８２Ａの内壁から離脱するように取り付けられている。
【０１４０】
（第３実施形態に係る現像装置３３６の作用）
次に、第３実施形態に係る現像装置３３６の作用について説明する。
【０１４１】
現像装置３３６では、図１５に示すように、トナーカートリッジ３８２をその半径方向に沿って装着部６３側に移動させてトナーカートリッジ３８２が装着部６３に装着される。このとき、図１６に示すように、トナーカートリッジ３８２の容器本体３８２Ａは、排出口３８１と取込口８０とが容器本体３８２Ａの周方向にずれる第１位置に位置する。
【０１４２】
次に、トナーカートリッジ３８２を図１６における時計方向へ回転させると、図１７に示すように、開閉部材３８６がキャリア排出位置に相対的に移動し、容器本体３８２Ａ内の磁性キャリアＣが、非磁性トナーＴよりも先に、排出口３８１から排出され、トナー搬送部６０の取込部７３に取り込まれる。
【０１４３】
そして、その磁性キャリアＣが、搬送部材６４の作動によりトナー搬送部６０の搬送路６２を搬送され、搬送部材６４などに付着して搬送路６２に残留した非磁性トナーＴを剥がしながら搬送する。これにより、非磁性トナーＴと混ざる前の磁性キャリアＣにより、搬送路６２に残留した非磁性トナーＴが除去される。なお、搬送路６２に残留した非磁性トナーＴは、非磁性トナーＴよりも比重の重い磁性キャリアＣが非磁性トナーＴに降りかかることによる物理的作用や、磁性キャリアＣの吸着力により剥がされる。
【０１４４】
さらに、トナーカートリッジ３８２を図１７における時計方向へ回転させると、図１８に示すように、開閉部材３８６がトナー排出位置に相対的に移動し、仕切部材３６０が容器本体３８２Ａの内壁から離脱し、容器本体３８２Ａ内の非磁性トナーＴが、排出口３８１から排出可能となる。容器本体３８２Ａ内の非磁性トナーＴは、搬送部材３８３に搬送されて、徐々に排出口３８１から排出され、トナー搬送部６０の取込部７３に取り込まれる。図１７及び図１８に示すトナーカートリッジ３８２の回転動作は、一連の動作として行われるものであってもよいし、別動作として行われるものであってもよい。
【０１４５】
なお、図１９に示すように、搬送部材３８３及び搬送部材６４を駆動する駆動部６９は、搬送部材３８３を駆動する第１駆動源６９Ａと、搬送部材６４を駆動する第２駆動源６９Ｂとを有する構成であってもよい。この構成では、第１駆動源６９Ａの駆動力は、第１駆動源６９Ａの駆動軸７０Ａに設けられたギア６８Ａを介して搬送部材３８３の回転軸３８３Ａに伝達され、第２駆動源６９Ｂの駆動力は、第２駆動源６９Ｂの駆動軸７０Ｂに設けられたギア６８Ｂを介して搬送部材６４の回転軸６４Ａに伝達される。
【０１４６】
図１９に示す構成によれば、トナーカートリッジ３８２内の非磁性トナーＴの搬送部材３８３による搬送と、トナー搬送部６０内の磁性キャリアＣの搬送部材６４による搬送とが別々に行われる。これにより、磁性トナーＴをトナーカートリッジ３８２から落下させずに、磁性キャリアＣが先に搬送される。
【０１４７】
本発明は、上記の実施形態に限るものではなく、種々の変形、変更、改良が可能である。例えば、上記の第１〜第３実施形態では、トナーとして非磁性トナーを用いたが、磁性トナーを用いても良い。
【符号の説明】
【０１４８】
１０ 画像形成装置
３０ 感光体ドラム（像保持体の一例）
３６ 現像装置
３７ 現像部
４９ 仕切部材
５１ キャリア収容容器
５３ 仕切壁
５４ 流入口部
５５ 突起（開放手段の一例）
５７ 隔壁（開閉部の一例）
５８ トナー収容室
５９ キャリア収容室
６０ トナー搬送部
６４   搬送部材（第２搬送部材の一例）
６９Ａ 駆動源
６９Ｂ 駆動源
８１ 排出口
８２ トナーカートリッジ（トナー収容容器の一例）
８３ 搬送部材
１３６ 現像装置
１５４ 流入口部
１５８ トナー収容室
１５９ キャリア収容室
１８１ 排出口
１８1 排出口
１８２ トナーカートリッジ（トナー収容容器の一例）
１８４ リブ
１９１ 開閉部材
１９２ キャリア収容容器
１９３ 開口部
１９４ 流入口部
１９５ 開閉部材
３３６ 現像装置
３５８ 収容室
３６０ 仕切部材
３８１ 排出口
３８２ トナーカートリッジ（トナー収容容器の一例）
３８２Ａ      容器本体
３８３ 搬送部材（第１搬送部材の一例）
３８６ 開閉部材
【図１】
2010244004.tif 000003
【図２】
2010244004.tif 000004
【図３】
2010244004.tif 000005
【図４】
2010244004.tif 000006
【図５】
2010244004.tif 000007
【図６】
2010244004.tif 000008
【図７】
2010244004.tif 000009
【図８】
2010244004.tif 000010
【図９】
2010244004.tif 000011
【図１０】
2010244004.tif 000012
【図１１】
2010244004.tif 000013
【図１２】
2010244004.tif 000014
【図１３】
2010244004.tif 000015
【図１４】
2010244004.tif 000016
【図１５】
2010244004.tif 000017
【図１６】
2010244004.tif 000018
【図１７】
2010244004.tif 000019
【図１８】
2010244004.tif 000020
【図１９】
2010244004.tif 000021